【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、
前記ビデオデータの画素のＲサンプル、前記画素のＧサンプル、及び前記画素のＢサンプルに基づいて、前記画素に関する輝度サンプル（Ｙ）を決定することと、ここにおいて、前記Ｒサンプル、前記Ｇサンプル、前記Ｂサンプル、及び前記輝度サンプルは、線光状である、
Ｙ、前記Ｒサンプル、及び前記Ｂサンプルを、それぞれ、ルーマサンプル（Ｙ´）、変換されたＲサンプル（Ｒ´）、及び変換されたＢサンプル（Ｂ´）に変換するため光電気伝達関数（ＯＥＴＦ）を適用することと、
第１のスケーリング係数、Ｂ´、及びＹ´に基づいて、前記画素に関するＣｂサンプルを決定することと、
第２のスケーリング係数、Ｒ´、及びＹ´に基づいて、前記画素に関するＣｒサンプルを決定することと、
Ｙ´、前記Ｃｂサンプル、及び前記Ｃｒサンプルを備えるビデオデータのブロックを符号化することと、
前記ビデオデータのコード化表現を備えるビットストリームで、前記第１のスケーリング係数及び前記第２のスケーリング係数を信号伝達することと
を備える方法。
【請求項２】
ビデオデータを復号する方法であって、
前記ビデオデータの符号化表現を備えるビットストリーム中のデータに基づいて、画素のルーマサンプル（Ｙ´）、前記画素のＣｂサンプル、及び前記画素のＣｒサンプルを決定することと、
前記ビットストリームから、第１のスケーリング係数及び第２のスケーリング係数を取得することと、
前記第１のスケーリング係数、前記画素に関する前記Ｃｂサンプル、及びＹ´に基づいて、前記画素に関する変換されたＢサンプル（Ｂ´）を決定することと、
前記第２のスケーリング係数、前記画素に関する前記Ｃｒサンプル、及びＹ´に基づいて、前記画素に関する変換されたＲサンプル（Ｒ´）を決定することと、
Ｙ´、Ｒ´、及びＢ´を、それぞれ、前記画素に関する輝度サンプル（Ｙ）、前記画素に関するＲサンプル、及び前記画素に関するＢサンプルに変換するため電気光伝達関数（ＥＯＴＦ）を適用することと、ここにおいて、前記Ｒサンプル、前記Ｇサンプル、及び前記輝度サンプルは、線光状である、
を備える方法。
【請求項３】
前記第１のスケーリング係数は、２つの値ｓ１及びｓ２のうちの１つをさらに備え、前記第２のスケーリング係数は、２つの値ｓ３及びｓ４のうちの１つをさらに備え、
前記第１のスケーリング係数の前記第１の値ｓ１は、Ｂ´とＹ´との差分が第１の範囲にあるとき、Ｃｂサンプルを決定するために使用され、前記第１のスケーリング係数の前記第２の値ｓ２は、Ｂ´とＹ´との前記差分が前記第１の範囲と重複しない第２の範囲にあるとき、前記Ｃｂサンプルを決定するために使用され、
前記第２のスケーリング係数の前記第１の値ｓ３は、Ｒ´とＹ´との前記差分が第３の範囲にあるとき、前記Ｃｒサンプルを決定するために使用され、又は、前記第２のスケーリング係数の前記第２の値ｓ４は、Ｂ´とＹ´との前記差分が前記第３の範囲と重複しない第４の範囲にあるとき、前記Ｃｒサンプルを決定するために使用される、
請求項１に記載の方法。
【請求項４】
前記ビットストリームから取得された前記第１のスケーリング係数の前記値は、Ｂ´とＹ´との差分が、第１の範囲にあるか、前記第１の範囲と重複しない第２の範囲にあるかに依存し、
前記ビットストリームから取得された前記第２のスケーリング係数の前記値は、Ｒ´とＹ´との前記差分が、第３の範囲にあるか、前記第３の範囲と重複しない第４の範囲にあるかに依存する、
請求項２に記載の方法。
【請求項５】
【数１】
2018525862.tif 000001
ここで、Ｃｂ´は、前記画素に関する前記Ｃｂサンプルであり、Ｃｒ´は、前記画素に関する前記Ｃｒサンプルであり、ｓ１及びｓ２は、前記第１のスケーリング係数の値であり、Ｎｂ及びＰｂは、第１の分母値の値であり、ｓ３及びｓ４は、前記第２のスケーリング係数の値であり、Ｎｒ及びＰｒは、第２の分母値の値である、
請求項３又は４に記載の方法。
【請求項６】
ｓ１、ｓ２、ｓ３、及びｓ４は、前記ビデオデータの全てのピクチャに対して一定である、
請求項５に記載の方法。
【請求項７】
前記ビデオデータの入力信号の１つ又は複数の特性、原色、及び前記ＯＥＴＦのうちの少なくとも１つに基づいて、ｓ１、ｓ２、ｓ３、及びｓ４を適応的に決定することを更に備える、
請求項５に記載の方法。
【請求項８】
Ｎｂ＝２＊ＴＦ（１−ＣＢ）
Ｐｂ＝２＊（ＴＦ（ＣＢ））
Ｎｒ＝２＊ＴＦ（１−ＣＲ）
Ｐｒ＝２＊（１−ＴＦ（ＣＲ））
ここで、ＴＦは、前記ＯＥＴＦであり、ＣＢ及びＣＲは、色変換のパラメータである、
請求項５に記載の方法。
【請求項９】
前記第１のスケーリング係数及び前記第２のスケーリング係数を適応的に決定することを更に備える、
請求項１に記載の方法。
【請求項１０】
前記第１のスケーリング係数及び前記第２のスケーリング係数を信号伝達又は取得することは、それぞれ、前記ビットストリームのメタデータ、前記ビットストリーム中のＳＥＩメッセージ、又は前記ビットストリーム中のビデオ有用性情報のうちの１つで、前記第１のスケーリング係数及び前記第２のスケーリング係数を信号伝達又は取得することを備える、
請求項１又は２に記載の方法。
【請求項１１】
前記画素に関する前記輝度サンプルＹ、前記画素に関する前記Ｒサンプル、及び前記画素に関する前記Ｂサンプルに基づいて、前記画素に関するＧサンプルを決定するため逆伝達関数を適用することを更に備え、前記Ｇサンプルは、線光状である、
請求項２に記載の方法。
【請求項１２】
ビデオデータを符号化するための装置であって、
前記ビデオデータを記憶するように構成された記憶媒体と、
１つ又は複数のプロセッサと
を備え、前記１つ又は複数のプロセッサは、
前記ビデオデータの画素のＲサンプル、前記画素のＧサンプル、及び前記画素のＢサンプルに基づいて、前記画素に関する輝度サンプル（Ｙ）を決定することと、ここにおいて、前記Ｒサンプル、前記Ｇサンプル、及び前記輝度サンプルは、線光状である、
前記輝度サンプル、前記Ｒサンプル、及び前記Ｂサンプルを、ルーマサンプル（Ｙ´）、変換されたＲサンプル（Ｒ´）、及び変換されたＢサンプル（Ｂ´）に変換するため光電気伝達関数（ＯＥＴＦ）を適用することと、
第１のスケーリング係数、Ｂ´、及びＹ´に基づいて、前記画素に関するＣｂサンプルを決定することと、
第２のスケーリング係数、Ｒ´、及びＹ´に基づいて、前記画素に関するＣｒサンプルを決定することと、
Ｙ´、前記Ｃｂサンプル、及び前記Ｃｒサンプルを備えるビデオデータのブロックを符号化することと、
前記ビデオデータのコード化表現を備えるビットストリームで、前記第１のスケーリング係数及び前記第２のスケーリング係数を信号伝達することと
を行うように構成される、装置。
【請求項１３】
ビデオデータを復号するための装置であって、
前記ビデオデータを記憶するように構成された記憶媒体と、
１つ又は複数のプロセッサと、
を備え、前記１つ又は複数のプロセッサは、
前記ビデオデータの符号化表現を備えるビットストリーム中のデータに基づいて、画素のルーマサンプル（Ｙ´）、前記画素のＣｂサンプル、及び前記画素のＣｒサンプルを決定することと、
前記ビットストリームから、第１のスケーリング係数及び第２のスケーリング係数を取得することと、
前記第１のスケーリング係数、前記画素に関する前記Ｃｂサンプル、及びＹ´に基づいて、前記画素に関する変換されたＢサンプル（Ｂ´）を決定することと、
前記第２のスケーリング係数、前記画素に関する前記Ｃｒサンプル、及びＹ´に基づいて、前記画素に関する変換されたＲサンプル（Ｒ´）を決定することと、
Ｙ´、Ｒ´、及びＢ´を、それぞれ、前記画素に関する輝度サンプル（Ｙ）、前記画素に関するＲサンプル、及び前記画素に関するＢサンプルに変換するため電気光伝達関数（ＥＯＴＦ）を適用することと、ここにおいて、前記Ｒサンプル、前記Ｇサンプル、及び前記輝度サンプルは、線光状である、
を行うように構成される、装置。
【請求項１４】
実行されると、ビデオエンコーダに、請求項１、３、又は請求項５乃至１０のいずれかに記載の方法を実行させる命令を記憶する、コンピュータ読取可能な媒体。
【請求項１５】
実行されると、ビデオデコーダに、請求項２、又は請求項４乃至１１のいずれかに記載の方法を実行させる命令を記憶する、コンピュータ読取可能な媒体。
【手続補正２】
【補正対象書類名】明細書
【補正対象項目名】０１１５
【補正方法】変更
【補正の内容】
【０１１５】
[0126]様々な例が説明されている。これらの例及び他の例は、以下の特許請求の範囲の範囲内である。
以下に本願の出願当初の特許請求の範囲に記載された発明を付記する。
［Ｃ１］
ビデオデータを符号化する方法であって、
前記ビデオデータの画素のＲサンプル、前記画素のＧサンプル、及び前記画素のＢサンプルに基づいて、前記画素に関する輝度サンプル（Ｙ）を決定することと、ここにおいて、前記Ｒサンプル、前記Ｇサンプル、前記Ｂサンプル、及び前記輝度サンプルは、線光状である、
Ｙ、前記Ｒサンプル、及び前記Ｂサンプルを、それぞれ、ルーマサンプル（Ｙ´）、変換されたＲサンプル（Ｒ´）、及び変換されたＢサンプル（Ｂ´）に変換するため光電気伝達関数（ＯＥＴＦ）を適用することと、
第１のスケーリング係数、Ｂ´、及びＹ´に基づいて、前記画素に関するＣｂサンプルを決定することと、
第２のスケーリング係数、Ｒ´、及びＹ´に基づいて、前記画素に関するＣｒサンプルを決定することと、
Ｙ´、前記Ｃｂサンプル、及び前記Ｃｒサンプルを備えるビデオデータのブロックを符号化することと、
前記ビデオデータのコード化表現を備えるビットストリームで、前記第１のスケーリング係数及び前記第２のスケーリング係数を信号伝達することと
を備える方法。
［Ｃ２］
前記第１のスケーリング係数及び前記第２のスケーリング係数を信号伝達することは、前記ビットストリームのメタデータ、前記ビットストリーム中のＳＥＩメッセージ、又は前記ビットストリーム中のビデオ有用性情報のうちの１つで、前記第１のスケーリング係数及び前記第２のスケーリング係数を信号伝達することを備える、
Ｃ１に記載の方法。
［Ｃ３］
前記第１のスケーリング係数の前記値は、Ｂ´とＹ´との差分が、第１の範囲にあるか、前記第１の範囲と重複しない第２の範囲にあるかに依存し、
前記第２のスケーリング係数の前記値は、Ｒ´とＹ´との差分が、第３の範囲にあるか、前記第３の範囲と重複しない第４の範囲にあるかに依存する、
Ｃ１に記載の方法。
［Ｃ４］
【数１１】
2018525862.tif 000002
ここで、Ｃｂ´は、前記画素に関する前記Ｃｂサンプルであり、Ｃｒ´は、前記画素に関する前記Ｃｒサンプルであり、ｓ１及びｓ２は、前記第１のスケーリング係数の値であり、Ｎｂ及びＰｂは、第１の分母値の値であり、ｓ３及びｓ４は、前記第２のスケーリング係数の値であり、Ｎｒ及びＰｒは、第２の分母値の値である、
Ｃ３に記載の方法。
［Ｃ５］
ｓ１、ｓ２、ｓ３、及びｓ４は、前記ビデオデータの全てのピクチャに対して一定である、
Ｃ４に記載の方法。
［Ｃ６］
前記ビデオデータの入力信号の１つ又は複数の特性、原色、及び前記ＯＥＴＦのうちの少なくとも１つに基づいて、ｓ１、ｓ２、ｓ３、及びｓ４を適応的に決定することを更に備える、
Ｃ４に記載の方法。
［Ｃ７］
Ｎｂ＝２＊ＴＦ（１−ＣＢ）
Ｐｂ＝２＊（ＴＦ（ＣＢ））
Ｎｒ＝２＊ＴＦ（１−ＣＲ）
Ｐｒ＝２＊（１−ＴＦ（ＣＲ））
ここで、ＴＦは、前記ＯＥＴＦであり、ＣＢ及びＣＲは、色変換のパラメータである、  Ｃ４に記載の方法。
［Ｃ８］
前記第１のスケーリング係数及び前記第２のスケーリング係数を適応的に決定することを更に備える、
Ｃ１に記載の方法。
［Ｃ９］
ビデオデータを復号する方法であって、
前記ビデオデータの符号化表現を備えるビットストリーム中のデータに基づいて、画素のルーマサンプル（Ｙ´）、前記画素のＣｂサンプル、及び前記画素のＣｒサンプルを決定することと、
前記ビットストリームから、第１のスケーリング係数及び第２のスケーリング係数を取得することと、
前記第１のスケーリング係数、前記画素に関する前記Ｃｂサンプル、及びＹ´に基づいて、前記画素に関する変換されたＢサンプル（Ｂ´）を決定することと、
前記第２のスケーリング係数、前記画素に関する前記Ｃｒサンプル、及びＹ´に基づいて、前記画素に関する変換されたＲサンプル（Ｒ´）を決定することと、
Ｙ´、Ｒ´、及びＢ´を、それぞれ、前記画素に関する輝度サンプル（Ｙ）、前記画素に関するＲサンプル、及び前記画素に関するＢサンプルに変換するため電気光伝達関数（ＥＯＴＦ）を適用することと、ここにおいて、前記Ｒサンプル、前記Ｇサンプル、及び前記輝度サンプルは、線光状である、
を備える方法。
［Ｃ１０］
前記画素に関する前記輝度サンプルＹ、前記画素に関する前記Ｒサンプル、及び前記画素に関する前記Ｂサンプルに基づいて、前記画素に関するＧサンプルを決定するため逆伝達関数を適用することを更に備え、前記Ｇサンプルは、線光状である、
Ｃ９に記載の方法。
［Ｃ１１］
前記第１のスケーリング係数及び前記第２のスケーリング係数を取得することは、前記ビットストリームのメタデータ、前記ビットストリーム中のＳＥＩメッセージ、又は前記ビットストリーム中のビデオ有用性情報のうちの少なくとも１つから、前記第１のスケーリング係数及び前記第２のスケーリング係数を取得することを備える、
Ｃ９に記載の方法。
［Ｃ１２］
前記第１のスケーリング係数の前記値は、Ｂ´とＹ´との差分が、第１の範囲にあるか、前記第１の範囲と重複しない第２の範囲にあるかに依存し、
前記第２のスケーリング係数の前記値は、Ｒ´とＹ´との差分が、第３の範囲にあるか、前記第３の範囲と重複しない第４の範囲にあるかに依存する、
Ｃ９に記載の方法。
［Ｃ１３］
【数１２】
2018525862.tif 000003
ここで、Ｃｂ´は、前記画素に関する前記Ｃｂサンプルであり、Ｃｒ´は、前記画素に関する前記Ｃｒサンプルであり、ｓ１及びｓ２は、前記第１のスケーリング係数の値であり、Ｎｂ及びＰｂは、第１の分母値の値であり、ｓ３及びｓ４は、前記第２のスケーリング係数の値であり、Ｎｒ及びＰｒは、第２の分母値の値である、
Ｃ１２に記載の方法。
［Ｃ１４］
ｓ１、ｓ２、ｓ３、及びｓ４は、前記ビデオデータの全てのピクチャに対して一定である、
Ｃ１３に記載の方法。
［Ｃ１５］
Ｎｂ＝２＊ＴＦ（１−ＣＢ）
Ｐｂ＝２＊（ＴＦ（ＣＢ））
Ｎｒ＝２＊ＴＦ（１−ＣＲ）
Ｐｒ＝２＊（１−ＴＦ（ＣＲ））
ここで、ＴＦは、光電気伝達関数であり、ＣＢ及びＣＲは、色変換のパラメータである、
Ｃ１３に記載の方法。
［Ｃ１６］
ビデオデータを符号化するための装置であって、
前記ビデオデータを記憶するように構成された記憶媒体と、
１つ又は複数のプロセッサと
を備え、前記１つ又は複数のプロセッサは、
前記ビデオデータの画素のＲサンプル、前記画素のＧサンプル、及び前記画素のＢサンプルに基づいて、前記画素に関する輝度サンプル（Ｙ）を決定することと、ここにおいて、前記Ｒサンプル、前記Ｇサンプル、及び前記輝度サンプルは、線光状である、
前記輝度サンプル、前記Ｒサンプル、及び前記Ｂサンプルを、ルーマサンプル（Ｙ´）、変換されたＲサンプル（Ｒ´）、及び変換されたＢサンプル（Ｂ´）に変換するため光電気伝達関数（ＯＥＴＦ）を適用することと、
第１のスケーリング係数、Ｂ´、及びＹ´に基づいて、前記画素に関するＣｂサンプルを決定することと、
第２のスケーリング係数、Ｒ´、及びＹ´に基づいて、前記画素に関するＣｒサンプルを決定することと、
Ｙ´、前記Ｃｂサンプル、及び前記Ｃｒサンプルを備えるビデオデータのブロックを符号化することと、
前記ビデオデータのコード化表現を備えるビットストリームで、前記第１のスケーリング係数及び前記第２のスケーリング係数を信号伝達することと
を行うように構成される、装置。
［Ｃ１７］
前記１つ以上のプロセッサは、前記ビットストリームのメタデータ、前記ビットストリーム中のＳＥＩメッセージ、又は前記ビットストリーム中のビデオ有用性情報のうちの１つで、前記第１のスケーリング係数及び前記第２のスケーリング係数を信号伝達するように構成される、
Ｃ１６に記載の装置。
［Ｃ１８］
前記第１のスケーリング係数の前記値は、Ｂ´とＹ´との差分が、第１の範囲にあるか、前記第１の範囲と重複しない第２の範囲にあるかに依存し、
前記第２のスケーリング係数の前記値は、前記Ｒ´とＹ´との差分が、第３の範囲にあるか、前記第３の範囲と重複しない第４の範囲にあるかに依存する、
Ｃ１６に記載の装置。
［Ｃ１９］
【数１３】
2018525862.tif 000004
ここで、Ｃｂ´は、前記画素に関する前記Ｃｂサンプルであり、Ｃｒ´は、前記画素に関する前記Ｃｒサンプルであり、ｓ１及びｓ２は、前記第１のスケーリング係数の値であり、Ｎｂ及びＰｂは、第１の分母値の値であり、ｓ３及びｓ４は、前記第２のスケーリング係数の値であり、Ｎｒ及びＰｒは、第２の分母値の値である、
Ｃ１８に記載の装置。
［Ｃ２０］
ｓ１、ｓ２、ｓ３、及びｓ４は、前記ビデオデータの全てのピクチャに対して一定である、
Ｃ１９に記載の装置。
［Ｃ２１］
前記１つ以上のプロセッサは、前記ビデオデータの入力信号の１つ以上の特性、原色、及び前記ＯＥＴＦのうちの少なくとも１つに基づいて、ｓ１、ｓ２、ｓ３、及びｓ４を適応的に決定するように構成される、
Ｃ１９に記載の装置。
［Ｃ２２］
Ｎｂ＝２＊ＴＦ（１−ＣＢ）
Ｐｂ＝２＊（ＴＦ（ＣＢ））
Ｎｒ＝２＊ＴＦ（１−ＣＲ）
Ｐｒ＝２＊（１−ＴＦ（ＣＲ））
ここで、ＴＦは、前記ＯＥＴＦであり、ＣＢ及びＣＲは、色変換のパラメータである、  Ｃ１９に記載の装置。
［Ｃ２３］
前記１つ以上のプロセッサは、前記第１のスケーリング係数及び前記第２のスケーリング係数を適応的に決定するように構成される、
Ｃ１６に記載の装置。
［Ｃ２４］
ビデオデータを復号するための装置であって、
前記ビデオデータを記憶するように構成された記憶媒体と、
１つ以上のプロセッサと
を備え、前記１つ又は複数のプロセッサは、
前記ビデオデータの符号化表現を備えるビットストリーム中のデータに基づいて、画素のルーマサンプル（Ｙ´）、前記画素のＣｂサンプル、及び前記画素のＣｒサンプルを決定することと、
前記ビットストリームから、第１のスケーリング係数及び第２のスケーリング係数を取得することと、
前記第１のスケーリング係数、前記画素に関する前記Ｃｂサンプル、及びＹ´に基づいて、前記画素に関する変換されたＢサンプル（Ｂ´）を決定することと、
前記第２のスケーリング係数、前記画素に関する前記Ｃｒサンプル、及びＹ´に基づいて、前記画素に関する変換されたＲサンプル（Ｒ´）を決定することと、
Ｙ´、Ｒ´、及びＢ´を、それぞれ、前記画素に関する輝度サンプル（Ｙ）、前記画素に関するＲサンプル、及び前記画素に関するＢサンプルに変換するため電気光伝達関数（ＥＯＴＦ）を適用することと、ここにおいて、前記Ｒサンプル、前記Ｇサンプル、及び前記輝度サンプルは、線光状である、
を行うように構成される、装置。
［Ｃ２５］
前記１つ又は複数のプロセッサは、前記画素に関する前記輝度サンプル、前記画素に関する前記Ｒサンプル、及び前記画素に関する前記Ｂサンプルに基づいて、前記画素に関するＧサンプルを決定するために逆伝達関数を適用するように更に構成され、前記Ｇサンプルは、線光状である、
Ｃ２４に記載の装置。
［Ｃ２６］
前記１つ又は複数のプロセッサは、前記ビットストリームのメタデータ、前記ビットストリーム中のＳＥＩメッセージ、又は前記ビットストリーム中のビデオ有用性情報のうちの１つから、前記第１のスケーリング係数及び前記第２のスケーリング係数を取得するように構成される、
Ｃ２４に記載の装置。
［Ｃ２７］
前記第１のスケーリング係数の前記値は、Ｂ´とＹ´との前記差分が、第１の範囲にあるか、前記第１の範囲と重複しない第２の範囲にあるかに依存し、
前記第２のスケーリング係数の前記値は、Ｒ´とＹ´との前記差分が、第３の範囲にあるか、前記第３の範囲と重複しない第４の範囲にあるかに依存する、
Ｃ２４に記載の装置。
［Ｃ２８］
【数１４】
2018525862.tif 000005
ここで、Ｃｂ´は、前記画素に関する前記Ｃｂサンプルであり、Ｃｒ´は、前記画素に関する前記Ｃｒサンプルであり、ｓ１及びｓ２は、前記第１のスケーリング係数の値であり、Ｎｂ及びＰｂは、第１の分母値の値であり、ｓ３及びｓ４は、前記第２のスケーリング係数の値であり、Ｎｒ及びＰｒは、第２の分母値の値である、
Ｃ２７に記載の装置。
［Ｃ２９］
ｓ１、ｓ２、ｓ３、及びｓ４は、前記ビデオデータの全てのピクチャに対して一定である、
Ｃ２８に記載の装置。
［Ｃ３０］
Ｎｂ＝２＊ＴＦ（１−ＣＢ）
Ｐｂ＝２＊（ＴＦ（ＣＢ））
Ｎｒ＝２＊ＴＦ（１−ＣＲ）
Ｐｒ＝２＊（１−ＴＦ（ＣＲ））
ここで、ＴＦは、光電気伝達関数であり、ＣＢ及びＣＲは、色変換のパラメータである、
Ｃ２８に記載の装置。